(57)【要約】【課題】雨樋を多数本束ねてバンドで結束して梱包した状態のまま引き抜く際に雨樋の表面同士の摩擦抵抗により表面に傷が付くのを簡単な構成で防止する。【解決手段】雨樋１表面に高潤滑性材料２ａを塗布して摩擦抵抗軽減層２を形成する。これにより、雨樋１を数本束ねて梱包した状態で引き抜く際に雨樋１の表面の摩擦抵抗軽減層２同士が接触するため摩擦抵抗が軽減されて表面に傷が付くのを防止する。【選択図】        図１
2004293122.tif 000002
【特許請求の範囲】
【請求項１】
雨樋表面に高潤滑性材料を塗布して摩擦抵抗軽減層を形成して成ることを特徴とする摩擦抵抗軽減層を有する雨樋。
【請求項２】
高潤滑性材料がシリコンオイルであることを特徴とする請求項１記載の摩擦抵抗軽減層を有する雨樋。
【請求項３】
合成樹脂の押出し成形機による雨樋本体の押出し成形に引き続いて押出されて来る雨樋本体の表面に塗布装置により高潤滑性材料を塗布することにより表面に摩擦抵抗軽減層を有する雨樋を製造することを特徴とする摩擦抵抗軽減層を有する雨樋の製造方法。
【発明の詳細な説明】
【０００１】
【発明の属する技術分野】
本発明は、束ねて梱包された多数の雨樋の中から、一つ一つ雨樋を引き抜く際に摩擦抵抗により雨樋表面に傷付きが生じるのを防止することができる摩擦抵抗軽減層を有する雨樋及びその製造方法に関するものである。
【０００２】
【従来の技術】
従来、雨樋１は図５（ａ）に示すように多数本束ねてバンドで結束して梱包した状態で現場に運び、現場で、図６（ｂ）に示すようにバンド１０で結束したままの状態で、一つづつ雨樋１を引き抜いて使用していた。この場合、雨樋１の表面同士の摩擦抵抗により雨樋１の表面に傷が付きやすいという問題があった。
【０００３】
このため、上記のように多数本束ねて梱包した状態で引き抜く際に傷付くのを防止するため、雨樋間に緩衝材を介在させて傷付きを防止することが行われているが、このように雨樋間に緩衝材を介在させて梱包するものは梱包に手間がかかるという問題がある。
【０００４】
なお、従来から耐候性や不燃化等を良くするために合成樹脂製の雨樋に無機塗料を施したもの（例えば、特許文献１参照）や、耐候性の向上と塗料の塗布性を良くするために塩化ビニル樹脂製の雨樋の外面にＡＡＳ樹脂を被覆したもの（例えば、特許文献２参照）や、塗料の塗布を可能にするために塩化ビニル樹脂製の雨樋の表面にＡＢＳ樹脂を被覆するもの（例えば特許文献３参照）が知られている。
【０００５】
しかしながら、これら特許文献１、特許文献２、特許文献３に示されるものは、耐候性や不燃化等を良くしたり、塗料の塗布性を良くするために雨樋の外面に無機塗料を施したり、ＡＡＳ樹脂やＡＢＳ樹脂を被覆したものでしかなく、これらの被覆をした雨樋は多数本束ねて梱包した状態で引き抜く際に雨樋の表面同士の摩擦抵抗により表面に傷が付きやすいことに変わりは無かった。
【０００６】
【特許文献１】
実開平２−１２９５２２号公報
【特許文献２】
実開昭５９−８５８３１号公報
【特許文献３】
実開昭５８−２００３２号公報
【０００７】
【発明が解決しようとする課題】
本発明は上記の点に鑑みてなされたものであり、雨樋を多数本束ねてバンドで結束して梱包した状態のまま引き抜く際に雨樋の表面同士の摩擦抵抗により表面に傷が付くのを簡単な構成で防止することができる摩擦抵抗軽減層を有する雨樋及びその製造方法を提供することを課題とするものである。
【０００８】
【課題を解決するための手段】
上記課題を解決するために本発明に係る摩擦抵抗軽減層を有する雨樋は、雨樋１表面に高潤滑性材料２ａを塗布して摩擦抵抗軽減層２を形成して成ることを特徴とするものである。
【０００９】
このような構成とすることで、雨樋１を数本束ねてバンド１０で結束して梱包した状態で引き抜く際に、雨樋１の表面の高潤滑性材料２ａよりなる摩擦抵抗軽減層２同士が接触するため摩擦抵抗が軽減されて表面に傷が付くのを防止できるものである。
【００１０】
また、高潤滑性材料２ａがシリコンオイルであることが好ましい。このような構成とすることで、高潤滑性を有する摩擦抵抗軽減層２を形成できて、雨樋１を数本束ねて梱包した状態で引き抜く際に雨樋１の表面に傷が付くのを確実に防止できるものである。
【００１１】
また、本発明の摩擦抵抗軽減層を有する雨樋の製造方法は、合成樹脂の押出し成形機３による雨樋本体１ａの押出し成形に引き続いて押出されて来る雨樋本体１ａの表面に塗布装置３により高潤滑性材料２ａを塗布することにより表面に摩擦抵抗軽減層２を有する雨樋１を製造することを特徴とするものである。
【００１２】
このような方法を採用することで、雨樋１を合成樹脂の押出し成形により形成する工程で連続して表面に高潤滑性材料２ａを塗布して摩擦抵抗軽減層２を形成できて、摩擦抵抗軽減層２の形成が容易に行えるものである。
【００１３】
【発明の実施の形態】
以下、本発明を添付図面に示す実施形態に基づいて説明する。
【００１４】
本発明の雨樋１は図１に示すように、合成樹脂製又は金属芯入り合成樹脂製の雨樋本体１ａの表面に高潤滑性材料２ａを塗布して摩擦抵抗軽減層２を形成したものである。
【００１５】
このような表面に摩擦抵抗軽減層２を有する雨樋１は例えば、図２に示すように、押出し成形機３により合成樹脂製又は金属芯入り合成樹脂製の雨樋本体１ａを押出し、冷却装置４により冷却し、引き続いて、塗布装置３に押出されて来る雨樋本体１ａを連続して供給し、塗布装置３により押出されて来る雨樋本体１ａの表面にシリコン液のような高潤滑性材料２ａを塗布し、次に、拭き取り装置又はエアブロー装置等の余剰物除去装置５を通過させることで、雨樋本体１ａの表面に塗布した高潤滑性材料２ａのうち余剰分を除去する。このようにして、押出し成形機３による合成樹脂製又は金属芯入り合成樹脂製の雨樋本体１ａを押出しに引き続いて押出されて来る雨樋本体１ａの表面に高潤滑性材料２ａを連続して塗布することで、表面に高潤滑性材料２ａよりなる摩擦抵抗軽減層２を有する雨樋１を製造するものである。図中１１は高潤滑性材料２ａを貯留するタンク、１２は貯留タンク１１に貯留している高潤滑性材料２ａを塗装装置３に供給するためのポンプである。
【００１６】
塗布装置３としては、図３に示すようなシリコン液のような高潤滑性材料２ａを浸漬した浸漬タンク６に雨樋本体１ａを通しながら浸漬することで雨樋本体１ａの表面に高潤滑性材料２ａを塗布する方式のものや、あるいは、図４に示すように矢印方向からシリコン液のような高潤滑性材料２ａを滴下させて高潤滑性材料２ａを含浸したスポンジ等よりなる環状をした塗布部材７内を当接させて通すことで、雨樋本体１ａの表面に高潤滑性材料２ａを塗布する方式のものなどが考えられる。
【００１７】
図３において、浸漬タンク６の対向する側面に設けた雨樋本体１ａが通過する入口及び出口にはシール用パッキン８又はスポンジを装着して上記入口や出口から高潤滑性材料２ａが漏れないようにしている。
【００１８】
また、図３、図４に示すように雨樋本体１ａは塗布装置３を通過した後、拭き取り装置又はエアブロー装置等の余剰物除去装置５を通過して余剰の高潤滑性材料２ａを除去するのであるが、上記塗布装置３の下方から余剰物除去装置５までの間にわたるように受け皿９を設けて、雨樋本体１ａから滴下する高潤滑性材料２ａを受けて回収するようにしている。高潤滑性材料２ａとしては上記のようにシリコン液を用いることができ、例えば原液の４０倍希釈のものを用いることができる。
【００１９】
上記のようにして製造した表面に高潤滑性材料２ａよりなる摩擦抵抗軽減層２を有する雨樋１は、図５（ａ）に示すように多数本束ねてバンド１０で結束して梱包することで現場に搬送するものであり、現場においては、多数本の雨樋１を束ねて結束しているバンド１０をいきなり切断してしまうと、多数本の雨樋１がバラバラに散乱してしまうので、図５（ｂ）のように多数本束ねた雨樋１をバンド１０で結束したまま、１本１本雨樋１を抜き取って使用するものである。この場合、本発明の雨樋１は表面に高潤滑性材料２ａよりなる摩擦抵抗軽減層２を有しているので、雨樋１を数本束ねて梱包した状態で引き抜く際の雨樋１の表面同士が接触する際の摩擦を雨樋１の表面の摩擦抵抗軽減層２で軽減して表面に傷が付くのを防止できるものである。
【００２０】
【発明の効果】
上記のように本発明の請求項１記載の発明にあっては、雨樋表面に高潤滑性材料を塗布して摩擦抵抗軽減層を形成してあるので、雨樋を数本束ねてバンドで結束して梱包した状態で引き抜く際に雨樋の表面の摩擦抵抗軽減層同士が接触するため摩擦抵抗が軽減されて表面に傷が付くのを防止でき、この結果、雨樋を複数本束ねて梱包するに当たって、従来のように緩衝材を介在させる必要がなく、梱包が容易になるものである。
【００２１】
また、請求項２記載の発明にあっては、上記請求項１記載の発明の効果に加えて、高潤滑性材料がシリコンオイルであるので、高潤滑性を有する摩擦抵抗軽減層を形成できて、雨樋を数本束ねて梱包した状態で引き抜く際に雨樋の表面に傷が付くのを確実に防止できるものである。
【００２２】
また、請求項３記載の発明にあっては、合成樹脂の押出し成形機による雨樋本体の押出し成形に引き続いて押出されて来る雨樋本体の表面に塗布装置により高潤滑性材料を塗布することにより表面に摩擦抵抗軽減層を有する雨樋を製造するので、雨樋を合成樹脂の押出し成形により形成する工程で連続して表面に高潤滑性材料を塗布して摩擦抵抗軽減層を形成できて、雨樋の製造時に同時に摩擦抵抗軽減層の形成を容易に行うことができるものである。
【図面の簡単な説明】
【図１】本発明の軒樋の一実施形態の断面図である。
【図２】同上の製造を示す概略説明図である。
【図３】同上の塗布装置の一例の概略説明図である。
【図４】同上の塗布装置の他例の概略説明図である。
【図５】（ａ）は多数本の雨樋を束ねて結束して梱包した状態の斜視図であり、（ｂ）は同上の多数本の雨樋を束ねて結束した状態で雨樋を１本ずつ引き抜いている状態を示す斜視図である。
【符号の説明】
１  雨樋
１ａ  雨樋本体
２  摩擦抵抗軽減層
２ａ  高潤滑性材料
３  押出し成形機
【図１】
2004293122.tif 000003
【図２】
2004293122.tif 000004
【図３】
2004293122.tif 000005
【図４】
2004293122.tif 000006
【図５】
2004293122.tif 000007